(57)【要約】  【課題】商品を購入する場合に、商品の温度が適正温度か適正温度でないかを見本パネルの照明手段を制御することで、購入者が適正温度の商品を間違いなく購入できる自動販売機の制御装置を提供することを目的とする。  【解決手段】商品温度検出手段２の判定に基づき、商品購入者が購入する商品の商品展示スペース個別照明装置４ａを制御することにより、適正温度の場合は明るく、適正温度でない場合は暗くすることで、顧客は適正温度の商品を購入することができる。【選択図】図１
2010061185.tif 000002
【特許請求の範囲】
【請求項１】
商品内容を表す商品見本パネルと、前記商品見本パネルを後方から照らす照明手段を有する商品展示スペースを備えた自動販売機において、庫内商品の温度を検出する商品温度検出手段と、各商品に該当する前記商品展示スペースの照明を制御する商品展示スペース照明制御手段と、前記商品温度検出手段と前記商品展示スペース照明制御手段に接続された演算制御部を備え、前記演算制御部は、前記商品温度検出手段の判定に基づき、前記商品展示スペース照明手段にて、前記商品展示スペースの照明手段の明るさを制御することを特徴とした自動販売機の制御装置。
【請求項２】
商品展示スペース照明手段の色を複数色備え、前記演算制御部は、前記商品温度検出手段の判定に基づき、前記商品展示スペース照明手段にて、商品展示スペース照明手段の複数の色を制御することを特徴とした請求項１に記載の自動販売機の制御装置。
【請求項３】
商品が投入されてから一定時間を計測するタイマー手段を備え、前記演算制御部は、商品が投入されてから一定時間を計測するタイマー手段の判定に基づき、前記商品展示スペース照明手段にて、一定時間以内は該当の商品展示スペースの照明を暗くし、一定時間後、明るくすることを特徴とした請求項１に記載の自動販売機の制御装置。
【請求項４】
適正温度の商品は明るくまたはぬるい商品は暗く表示している間、商品が販売できるか販売できないかを切り替える切り替え手段を備えたことを特徴とした請求項１に記載の自動販売機の制御装置。
【請求項５】
時刻を計測するタイマー手段を備え、前記演算制御部は、前記時刻を計測するタイマー手段の判定に基づき、前記商品展示スペース照明手段にて、時間帯（昼間／夜間）で適正温度の商品は明るくまたはぬるい商品は暗く該当の商品展示スペースの照明を制御することを特徴とした請求項１に記載の自動販売機の制御装置。
【発明の詳細な説明】
【技術分野】
【０００１】
本発明は、商品の情報を表示させる自動販売機の制御装置に関するものである。
【背景技術】
【０００２】
近年、この種の自動販売機の表示装置は、商品の温度を検知し、その結果、ホット、又はコールドの適温か不適温かを販売可能ランプで表示させるものがある（例えば、特許文献１参照）。
【０００３】
以下、図面を参照しながら、従来の自動販売機について説明する。
【０００４】
図１１は従来の自動販売機の制御装置のブロック図である。
【０００５】
図１１において、１は投入された金銭を計数する貨幣識別装置、２は庫内の各商品の温度を検知する商品温度検知手段、３は庫内の商品毎に対応した商品選択手段、５は商品選択装置３毎に対応した商品搬出装置、９は商品選択手段３に備えられた暖色、寒色を点灯させることができる販売可能ランプ、６ｆは商品が適温であるか否かを判定し販売可能ランプを点灯させる演算制御部である。
【０００６】
以上のように構成された従来の自動販売機について、以下その動作を説明する。
【０００７】
貨幣識別装置１に金銭が投入されると、それが各商品毎に設定された販売以上の金額であるか否かを判定し、販売可能な庫内の各商品がコールド又はホットのどちらに設定されているかを判定し、続けて商品温度検知手段２によって各商品の温度を検知する。次に、商品温度検知手段２にて検知された各商品の温度がコールド、ホットそれぞれについて、予め設定されている温度範囲内にあれば適温であると判定し、各商品に対応する商品選択手段に備えられた販売可能ランプ９をコールドの時は寒色、ホットの時は暖色で点灯させ購入者に通知する。その後、商品選択手段３が操作されると商品搬出装置５によって商品選択装置３に対応した商品を販売する。
【特許文献１】特開２００２−１６３７１６号公報
【発明の開示】
【発明が解決しようとする課題】
【０００８】
しかしながら、前記従来の構成では、販売商品を分かり易く表示するため、販売商品の図又は写真を印刷した広告パネルを扉の正面に配置し、さらには蛍光灯等の照明装置により広告パネルを明るく光らせている場合、顧客が入金等を行って商品を買う場合でも商品見本パネルを照明したままであるため、商品見本パネル近傍にある販売可能ランプが見えにくいという課題を有していた。
【０００９】
本発明は、前記従来の課題を解決するもので、商品を購入する場合に、商品見本パネルの照明手段の動作を変化させ、購入する商品が適正温度であるかを購入者に知らせる自動販売機の制御装置を提供することを目的とする。
【課題を解決するための手段】
【００１０】
前記従来の課題を解決するために、本発明の自動販売機の制御装置は、商品内容を表す商品見本パネルと、前記商品見本パネルを後方から照らす照明手段を有する商品展示スペースを備えた自動販売機において、庫内商品の温度を検出する商品温度検出手段と、各商品に該当する前記商品展示スペースの照明を制御する商品展示スペース照明制御手段と、前記商品温度検出手段と前記商品展示スペース照明制御手段に接続された演算制御部を備え、前記演算制御部は、前記商品温度検出手段の判定に基づき、前記商品展示スペース照明手段にて、前記商品展示スペースの照明手段の明るさを制御したものである。
【００１１】
これによって、購入する商品が適正温度であるかないかを購入者が間違いなく判断できる。
【発明の効果】
【００１２】
本発明の自動販売機の制御装置は、商品内容を表す商品見本パネルと、商品見本パネルを後方から照らす照明手段を有する商品展示スペースを備えた自動販売機において、庫内商品の温度を検出する商品温度検出手段と、各商品に該当する商品展示スペースの照明を制御する商品展示スペース照明制御手段と、商品温度検出手段と前記商品展示スペース照明制御手段に接続された演算制御部を備え、演算制御部は、商品温度検出手段の判定に基づき、購入商品が適正温度の場合は、照明手段を明るくし、購入商品が適正温度でない場合は暗くすることで、購入者が間違いなく購入できる。
【発明を実施するための最良の形態】
【００１３】
請求項１に記載の発明は、商品内容を表す商品見本パネルと、前記商品見本パネルを後方から照らす照明手段を有する商品展示スペースを備えた自動販売機において、庫内商品の温度を検出する商品温度検出手段と、各商品に該当する前記商品展示スペースの照明を制御する商品展示スペース照明制御手段と、前記商品温度検出手段と前記商品展示スペース照明制御手段に接続された演算制御部を備え、前記演算制御部は、前記商品温度検出手段の判定に基づき、前記商品展示スペース照明手段にて、前記商品展示スペースの照明手段の明るさを制御することにより、購入する商品が適正温度であるかないかを購入者が間違いなく判断できる。
【００１４】
請求項２に記載の発明は、請求項１に記載の発明において、商品展示スペース照明手段の色を複数色備え、前記演算制御部は、前記商品温度検出手段の判定に基づき、前記商品展示スペース照明手段にて、商品展示スペース照明手段の複数の色を制御するものであり、周囲が明るく、照明手段の明暗が判りにくい場合でも商品が適正温度であるかないかを購入者が間違いなく判断できる。
【００１５】
請求項３に記載の発明は、請求項１に記載の発明において、商品が投入されてから一定時間を計測するタイマー手段を備え、前記演算制御部は、商品が投入されてから一定時間を計測するタイマー手段の判定に基づき、前記商品展示スペース照明手段にて、一定時間以内は該当の商品展示スペースの照明を暗くし、一定時間後、明るくするものであり、より確実に適正温度である商品を購入者が間違いなく購入できる。
【００１６】
請求項４に記載の発明は、請求項１に記載の発明において、適正温度の商品は明るくまたはぬるい商品は暗く表示している間、商品が販売できるか販売できないかを切り替える切り替え手段を備えたものであり、販売者が購入者のニーズに対応できる。
【００１７】
請求項５に記載の発明は、請求項１に記載の発明において、時刻を計測するタイマー手段を備え、前記演算制御部は、前記時刻を計測するタイマー手段の判定に基づき、前記商品展示スペース照明手段にて、時間帯（昼間／夜間）で適正温度の商品は明るくまたはぬるい商品は暗く該当の商品展示スペースの照明を制御するものであり、周囲が明るく、照明手段の明暗が判りにくい場合でも適正温度であるかないかを購入者が間違いなく判断できる。
【００１８】
以下、本発明の実施の形態について、図面を参照しながら説明する。なお、この実施の形態によってこの発明が限定されるものではない。
【００１９】
（実施の形態１）
図１は本発明の実施の形態１による自動販売機の制御装置の機能ブロック図である。図２は、同実施の形態の動作を示すフローチャートである。
【００２０】
図１において、１は投入された金銭を計数する貨幣識別装置、２は庫内の各商品の温度を検知する商品温度検知手段、３は庫内の商品毎に対応した商品選択手段、４ａは商品見本パネルを後方から照らす個別照明装置、５は商品選択装置３毎に対応した商品搬出装置、６ａは商品が適温であるか否かを判定し個別照明装置を点灯させる演算制御部である。
【００２１】
以上のように構成された自動販売機の制御装置について、以下その動作を図２のフローチャートをもとにして説明する。
【００２２】
まず、貨幣識別装置１に金銭が投入されると（ＳＴＥＰ１）、それが各商品毎に設定された販売以上の金額であるか否かを判定し（ＳＴＥＰ２）、販売可能な庫内の各商品がコールド又はホットのどちらに設定されているかを判定し（ＳＴＥＰ３）、続けて商品温度検知手段２によって各商品の温度を検知する（ＳＴＥＰ４）（ＳＴＥＰ５）。次に、商品温度検知手段２にて検知された各商品の温度がコールド、ホットそれぞれについて、予め設定されている温度範囲内にあれば適温であると判定し（ＳＴＥＰ６）（ＳＴＥＰ７）、各商品に対応する個別照明装置を明るく点灯させ（ＳＴＥＰ８）（ＳＴＥＰ９）、予め設定されている温度範囲外にあれば適温でないと判定し、各商品に対応する個別照明装置を暗く点灯させる（ＳＴＥＰ１０）（ＳＴＥＰ１１）。その後、商品選択手段３が操作されると（ＳＴＥＰ１２，ＳＴＥＰ１３，ＳＴＥＰ１４，ＳＴＥＰ１５）商品搬出装置５によって商品選択装置３に対応した商品を販売する（ＳＴＥＰ１６）。
【００２３】
以上のように本実施の形態１の自動販売機の制御装置によれば、商品温度検出手段の判定に基づき、前記商品展示スペース照明手段にて、前記商品展示スペースの照明手段の明るさを制御することにより、購入する商品が適正温度であるかないかを購入者が間違いなく判断できる。
【００２４】
（実施の形態２）
図３は本発明の実施の形態２による自動販売機の制御装置の機能ブロック図である。図４は、同実施の形態の動作を示すフローチャートである。尚、実施の形態１と同一構成については、同一符号を付して詳細な説明を省略する。
【００２５】
図３において、演算制御部６ｂは商品見本パネルを後方から照らす複数色の個別照明装置４ｂを制御する。
【００２６】
以上のように構成された自動販売機の制御装置について、以下、図４を用いて、その動作を説明する。
【００２７】
まず、貨幣識別装置１に金銭が投入されると（ＳＴＥＰ１７）、それが各商品毎に設定された販売以上の金額であるか否かを判定し（ＳＴＥＰ１８）、販売可能な庫内の各商品がコールド又はホットのどちらに設定されているかを判定し（ＳＴＥＰ１９）、続けて商品温度検知手段２によって各商品の温度を検知する（ＳＴＥＰ２０）（ＳＴＥＰ２１）。次に、商品温度検知手段２にて検知された各商品の温度がコールド、ホットそれぞれについて、予め設定されている温度範囲内にあれば適温であると判定し（ＳＴＥＰ２２）（ＳＴＥＰ２３）、ホットの場合赤色を点灯し（ＳＴＥＰ２４）、コールドの場合青色を点灯する（ＳＴＥＰ２６）。また、予め設定されている温度範囲外であれば不適温と判定し、ホットの場合橙色を点灯し（ＳＴＥＰ２５）、コールドの場合青色を点灯する（ＳＴＥＰ２７）。その後、商品選択手段３が操作されると（ＳＴＥＰ２８〜ＳＴＥＰ３１）商品搬出装置５によって商品選択装置３に対応した商品を販売する（ＳＴＥＰ３２）。
【００２８】
以上のように本実施の形態２の自動販売機の制御装置によれば、商品温度検出手段の判定に基づき、前記商品展示スペース照明手段にて、前記商品展示スペースの照明手段の色を制御することにより、周囲が明るく、照明手段の明暗が判りにくい場合でも商品が適正温度であるかないかを購入者が間違いなく判断できる。
【００２９】
（実施の形態３）
図５は本発明の実施の形態３による自動販売機の制御装置の機能ブロック図である。図６は、同実施の形態の動作を示すフローチャートである。尚、実施の形態１と同一構成については、同一符号を付して詳細な説明を省略する。
【００３０】
図５において、タイマー７ａは、演算制御部６ｃに接続され、商品をローディングしてからの時刻を計測する。
【００３１】
以上のように構成された自動販売機の制御装置について、以下、図６を用いて、その動作を説明する。
【００３２】
まず、商品をローディングすると（ＳＴＥＰ３３）タイマーが計測を開始する（ＳＴＥＰ３４）。次に、貨幣識別装置１に金銭が投入されると（ＳＴＥＰ３５）、それが各商品毎に設定された販売以上の金額であるか否かを判定し（ＳＴＥＰ３６）、販売可能な庫内の各商品がコールド又はホットのどちらに設定されているかを判定する（ＳＴＥＰ３７）。次に、タイマー７ａにて計測された時刻がコールド、ホットそれぞれについて、予め設定されている時刻以上経過していれば適温であると判定し（ＳＴＥＰ３８）（ＳＴＥＰ３９）、各商品に対応する個別照明装置を明るく点灯させ（ＳＴＥＰ４０）（ＳＴＥＰ４２）、予め設定されている時刻以内であれば適温でないと判定し、各商品に対応する個別照明装置を暗く点灯させる（ＳＴＥＰ４１）（ＳＴＥＰ４３）。その後、商品選択手段３が操作されると（ＳＴＥＰ４４〜ＳＴＥＰ４７）商品搬出装置５によって商品選択装置３に対応した商品を販売する（ＳＴＥＰ４８）。
【００３３】
以上のように本実施の形態３の自動販売機の制御装置によれば、商品のローディングからの時間を計測することにより、商品温度検出手段を使用せずコストを安くして購入者に商品が適正温度であるかないか知らせることができる。
【００３４】
（実施の形態４）
図７は本発明の実施の形態４による自動販売機の制御装置の機能ブロック図である。図８は、同実施の形態の動作を示すフローチャートである。尚、実施の形態１と同一構成については、同一符号を付して詳細な説明を省略する。
【００３５】
図７において、販売可否切り替え手段８は、演算制御部６ｄに接続され、商品が適正温度に達していない場合に商品の販売をできなくするかできるようにするかを切り替える。
【００３６】
以上のように構成された自動販売機の制御装置について、以下、図８を用いて、その動作を説明する。
【００３７】
まず、商品が適正温度に達していない場合に商品の販売をできなくするかできるようにするかを販売可否切り替え手段８で設定する（ＳＴＥＰ４９）。次に、貨幣識別装置１に金銭が投入されると（ＳＴＥＰ５０）、それが各商品毎に設定された販売以上の金額であるか否かを判定し（ＳＴＥＰ５１）、販売可能な庫内の各商品がコールド又はホットのどちらに設定されているかを判定し（ＳＴＥＰ５２）、続けて商品温度検知手段２によって各商品の温度を検知する（ＳＴＥＰ５３）（ＳＴＥＰ５４）。次に、販売可否切り替え手段８が、商品の販売をできなくするかできるようにするかどちらに設定されているかを判断する（ＳＴＥＰ５５）（ＳＴＥＰ５６）。商品が適正温度に達していない場合でも販売できるようにするに設定されていれば、商品温度検知手段２にて検知された各商品の温度がコールド、ホットそれぞれについて、予め設定されている温度範囲内にあれば適温であると判定し（ＳＴＥＰ５９）（ＳＴＥＰ６０）、各商品に対応する個別照明装置を明るく点灯させ（ＳＴＥＰ６１）（ＳＴＥＰ６３）、予め設定されている温度範囲外にあれば適温でないと判定し、各商品に対応する個別照明装置を暗く点灯させる（ＳＴＥＰ６２）（ＳＴＥＰ６４）。また、商品が適正温度に達していない場合は販売しないに設定されていれば、商品温度検知手段２にて検知された各商品の温度がコールド、ホットそれぞれについて、予め設定されている温度範囲内にあれば適温であると判定し（ＳＴＥＰ５７）（ＳＴＥＰ５８）、各商品に対応する個別照明装置を明るく点灯させる（ＳＴＥＰ６１）（ＳＴＥＰ６３）。その後、商品選択手段３が操作されると（ＳＴＥＰ６５〜ＳＴＥＰ６８）商品搬出装置５によって商品選択装置３に対応した商品を販売する（ＳＴＥＰ１６）。予め設定されている温度範囲外にあれば適温でないと判定し、金銭投入待ちに戻る。
【００３８】
以上のように本実施の形態４の自動販売機の制御装置によれば、適正温度の商品は明るくまたはぬるい商品は暗く表示している間、商品が販売できるか販売できないかを切り替える切り替え手段を備えることにより、販売者が購入者のニーズに対応できる。
【００３９】
（実施の形態５）
図９は本発明の実施の形態５による自動販売機の制御装置の機能ブロック図である。図１０は、同実施の形態の動作を示すフローチャートである。尚、実施の形態１と同一構成については、同一符号を付して詳細な説明を省略する。
【００４０】
図９において、タイマー７ｂは、演算制御部６ｅに接続され、日時を計測する。
【００４１】
以上のように構成された自動販売機の制御装置について、以下、図１０を用いて、その動作を説明する。
【００４２】
まず、タイマーが日時を計測する（ＳＴＥＰ６９）。次に、適正温度の商品は明るく、適正温度でない商品は暗くする時間帯を設定する（ＳＴＥＰ７０）。そして、貨幣識別装置１に金銭が投入されると（ＳＴＥＰ７１）、それが各商品毎に設定された販売以上の金額であるか否かを判定し（ＳＴＥＰ７２）、販売可能な庫内の各商品がコールド又はホットのどちらに設定されているかを判定し（ＳＴＥＰ７３）、続けて商品温度検知手段２によって各商品の温度を検知する（ＳＴＥＰ７４）（ＳＴＥＰ７５）。次に、商品温度検知手段２にて検知された各商品の温度がコールド、ホットそれぞれについて、予め適正温度の商品は明るくする時間帯であるかを判定し（ＳＴＥＰ７６）（ＳＴＥＰ７７）、設定した時間帯ならば予め設定されている温度範囲内にあれば適温であると判定し（ＳＴＥＰ７８）（ＳＴＥＰ７９）、各商品に対応する個別照明装置を明るく点灯させ（ＳＴＥＰ８０）（ＳＴＥＰ８２）、予め設定されている温度範囲外にあれば適温でないと判定し、各商品に対応する個別照明装置を暗く点灯させる（ＳＴＥＰ８１）（ＳＴＥＰ８３）。その後、商品選択手段３が操作されると（ＳＴＥＰ８４〜ＳＴＥＰ８７）商品搬出装置５によって商品選択装置３に対応した商品を販売する（ＳＴＥＰ８８）。
【００４３】
以上のように本実施の形態５の自動販売機の制御装置によれば、時刻を計測するタイマー手段を備えることにより、周囲が明るく、照明手段の明暗が判りにくい場合でも適正温度であるかないかを購入者が間違いなく判断できる。
【産業上の利用可能性】
【００４４】
以上のように、本発明にかかる自動販売機の制御装置は、商品温度検出手段の判定に基づき、購入商品が適正温度の場合は、照明手段を明るくし、購入商品が適正温度でない場合は暗くすることで、購入者が間違いなく購入できるので、冷却あるいは加温装置を備えた自動販売機器等の用途に適用できる。
【図面の簡単な説明】
【００４５】
【図１】本発明の実施の形態１による自動販売機の制御装置のブロック図
【図２】同実施の形態の自動販売機の制御装置の動作を示すフローチャート
【図３】本発明の実施の形態２による自動販売機の制御装置のブロック図
【図４】同実施の形態の自動販売機の制御装置の動作を示すフローチャート
【図５】本発明の実施の形態３による自動販売機の制御装置のブロック図
【図６】同実施の形態の自動販売機の制御装置の動作を示すフローチャート
【図７】本発明の実施の形態４による自動販売機の制御装置のブロック図
【図８】同実施の形態の自動販売機の制御装置の動作を示すフローチャート
【図９】本発明の実施の形態５による自動販売機の制御装置のブロック図
【図１０】同実施の形態の自動販売機の制御装置の動作を示すフローチャート
【図１１】従来の自動販売機の制御装置のブロック図
【符号の説明】
【００４６】
１  貨幣識別装置
２  商品温度検知手段
３  商品選択手段
４ａ，４ｂ  個別照明装置
５  商品搬出装置
６ａ，６ｂ，６ｃ，６ｄ，６ｅ，６ｆ  演算制御部
７ａ，７ｂ  タイマー
８  販売可否切り替え手段
【図１】
2010061185.tif 000003
【図２】
2010061185.tif 000004
【図３】
2010061185.tif 000005
【図４】
2010061185.tif 000006
【図５】
2010061185.tif 000007
【図６】
2010061185.tif 000008
【図７】
2010061185.tif 000009
【図８】
2010061185.tif 000010
【図９】
2010061185.tif 000011
【図１０】
2010061185.tif 000012
【図１１】
2010061185.tif 000013